(57)【特許請求の範囲】
【請求項１】
マルチセグメント放送の代表セグメントの放送サービスに関する情報を含むNIT（Network Information Table）またはSDT（Service Description Table）である代表選局情報と、前記代表セグメント以外のセグメントの放送サービスに関する情報を含むNITまたはSDTである代表外選局情報を生成する生成手段と、
前記代表選局情報と前記代表外選局情報を異なるＩＤが付された情報として前記代表セグメントで送信するとともに、前記代表セグメントの放送サービスのデータを前記代表セグメントで送信する送信手段と
を備える送信装置。
【請求項２】
前記代表セグメントのNITは、前記代表セグメントの放送サービスに関する情報と、前記代表セグメントが前記マルチセグメント放送のセグメントであることを示すマルチセグメント情報を含む
請求項１に記載の送信装置。
【請求項３】
前記代表セグメントのNITは、前記代表セグメントの放送サービスに関する情報と、前記代表セグメントに対応するネットワークに固有のＩＤであるネットワークＩＤを含み、
前記代表セグメント以外のセグメントのNITは、前記代表外セグメントの放送サービスに関する情報と、前記代表セグメントのNITに含まれるネットワークＩＤとは異なるネットワークＩＤを含む
請求項１に記載の送信装置。
【請求項４】
前記代表セグメント以外のセグメントは、複数のグループに分類され、
前記生成手段は、前記代表選局情報を生成するとともに、前記代表外選局情報を前記グループごとに生成し、
前記代表セグメントのNITおよび前記グループごとの前記代表セグメント以外のセグメントのNITのそれぞれに含まれるネットワークＩＤは異なる
請求項３に記載の送信装置。
【請求項５】
送信装置が、
マルチセグメント放送の代表セグメントの放送サービスに関する情報を含むNIT（Network Information Table）またはSDT（Service Description Table）である代表選局情報と、前記代表セグメント以外のセグメントの放送サービスに関する情報を含むNITまたはSDTである代表外選局情報を生成する生成ステップと、
前記代表選局情報と前記代表外選局情報を異なるＩＤが付された情報として前記代表セグメントで送信するとともに、前記代表セグメントの放送サービスのデータを前記代表セグメントで送信する送信ステップと
を含む送信方法。
【請求項６】
マルチセグメント放送の代表セグメントの放送サービスに関する情報を含むNIT（Network Information Table）またはSDT（Service Description Table）である代表選局情報と、前記代表セグメント以外のセグメントの放送サービスに関する情報を含むNITまたはSDTである代表外選局情報を生成する生成手段と、
前記代表選局情報と前記代表外選局情報を異なるＩＤが付された情報として前記代表セグメントで送信するとともに、前記代表セグメントの放送サービスのデータを前記代表セグメントで送信する送信手段と
を備える送信装置として、コンピュータを機能させるためのプログラム。
【請求項７】
マルチセグメント放送の代表セグメントで送信されてくる、異なるＩＤが付された情報として生成された前記代表セグメントの放送サービスに関する情報を含むNIT（Network Information Table）またはSDT（Service Description Table）である代表選局情報、および前記代表セグメント以外のセグメントの放送サービスに関する情報を含むNITまたはSDTである代表外選局情報、並びに前記代表セグメントの放送サービスのデータからなる放送データを受信する受信手段と、
前記受信手段により受信された前記放送データから、前記代表選局情報、前記代表外選局情報、および前記データを抽出する抽出手段と、
前記抽出手段により抽出された前記代表選局情報と前記代表外選局情報に基づいて、前記マルチセグメント放送の各セグメントの放送サービスに関する情報のテーブルを作成する作成手段と、
前記抽出手段により抽出された前記データを出力する出力手段と
を備える受信装置。
【請求項８】
前記代表セグメントのNITは、前記代表セグメントの放送サービスに関する情報と、前記代表セグメントが前記マルチセグメント放送のセグメントであることを示すマルチセグメント情報を含み、
前記抽出手段は、前記受信手段により受信された前記データから前記代表セグメントのNITを抽出し、そのNITに前記マルチセグメント情報が含まれている場合、さらに前記代表外選局情報を抽出する
請求項７に記載の受信装置。
【請求項９】
前記代表セグメントのNITは、前記代表セグメントの放送サービスに関する情報と、前記代表セグメントに対応するネットワークに固有のＩＤであるネットワークＩＤを含み、
前記代表セグメント以外のセグメントのNITは、前記代表外セグメントの放送サービスに関する情報と、前記代表セグメントのNITに含まれるネットワークＩＤとは異なるネットワークＩＤを含む
請求項７に記載の受信装置。
【請求項１０】
前記代表セグメント以外のセグメントは、複数のグループに分類され、
前記放送データは、前記代表選局情報、前記グループごとの前記代表外選局情報、および前記データからなり、
前記代表セグメントのNITおよび前記グループごとの前記代表セグメント以外のセグメントのNITのそれぞれに含まれるネットワークＩＤは異なる
請求項９に記載の受信装置。
【請求項１１】
受信装置が、
マルチセグメント放送の代表セグメントで送信されてくる、異なるＩＤが付された情報として生成された前記代表セグメントの放送サービスに関する情報を含むNIT（Network Information Table）またはSDT（Service Description Table）である代表選局情報、および前記代表セグメント以外のセグメントの放送サービスに関する情報を含むNITまたはSDTである代表外選局情報、並びに前記代表セグメントの放送サービスのデータからなる放送データを受信する受信ステップと、
前記受信ステップの処理により受信された前記放送データから、前記代表選局情報、前記代表外選局情報、および前記データを抽出する抽出ステップと、
前記抽出ステップの処理により抽出された前記代表選局情報と前記代表外選局情報に基づいて、前記マルチセグメント放送の各セグメントの放送サービスに関する情報のテーブルを作成する作成ステップと、
前記抽出ステップの処理により抽出された前記データを出力する出力ステップと
を含む受信方法。
【請求項１２】
マルチセグメント放送の代表セグメントで送信されてくる、異なるＩＤが付された情報として生成された前記代表セグメントの放送サービスに関する情報を含むNIT（Network Information Table）またはSDT（Service Description Table）である代表選局情報、および前記代表セグメント以外のセグメントの放送サービスに関する情報を含むNITまたはSDTである代表外選局情報、並びに前記代表セグメントの放送サービスのデータからなる放送データを受信する受信手段と、
前記受信手段により受信された前記放送データから、前記代表選局情報、前記代表外選局情報、および前記データを抽出する抽出手段と、
前記抽出手段により抽出された前記代表選局情報と前記代表外選局情報に基づいて、前記マルチセグメント放送の各セグメントの放送サービスに関する情報のテーブルを作成する作成手段と、
前記抽出手段により抽出された前記データを出力する出力手段と
を備える受信装置として、コンピュータを機能させるためのプログラム。
【発明の詳細な説明】
【技術分野】
【０００１】
本発明は、送信装置および送信方法、受信装置および受信方法、並びにプログラムに関し、特に、マルチセグメント放送の全ての選局情報を取得することができるようにした送信装置および送信方法、受信装置および受信方法、並びにプログラムに関する。
【背景技術】
【０００２】
近年、UHF（Ultra High Frequency）帯において地上波デジタル放送が実施されている。地上波デジタル放送の物理チャンネルは１３セグメントに分割され、そのうちの１セグメント分の帯域で携帯端末向け放送が行われる。そして、残りの１２セグメント分の帯域で、テレビジョン受像機などの固定端末向けの放送が行われる（例えば、特許文献１参照）。【０００３】
携帯端末向け放送では、現在、固定端末向け放送と同一の内容が放送されており、携帯端末向け放送を受信する携帯端末は、携帯電話機を中心に既に広く普及している。【０００４】
また、地上波デジタル放送波には、UHF帯の１３乃至５２チャンネルのうち、各地域で実際に地上波デジタル放送が行われているチャンネル以外の空きチャンネルが多く存在する。そのため、この空きチャンネルを有効利用する方法が検討されている。【０００５】
空きチャンネルを有効利用する有力な方法としては、空きチャンネルでマルチセグメント放送を行う方法がある。なお、マルチセグメント放送とは、１つの物理チャンネルで同時に送出される複数の１セグメント分の放送である。即ち、マルチセグメント放送とは、地上デジタル放送の周波数帯域を複数のセグメントに分割して、１セグメントで、１以上の放送サービスを行う放送である。【０００６】
ところで、従来の携帯端末向け放送を受信する携帯端末は、以下のようにして、周波数などの選局に関する情報である選局情報を取得し、選局情報のテーブル（以下、選局テーブルという）を作成する。【０００７】
図１は、従来の携帯端末による選局テーブル作成処理のフローチャートである。【０００８】
ステップＳ１１において、携帯端末は、所定の物理チャンネル（例えば、最も周波数の低い物理チャンネル）を、処理の対象とする対象物理チャンネルとする。ステップＳ１２において、携帯端末は、対象物理チャンネルの中央セグメントを選局する。ステップＳ１３において、携帯端末は、対象物理チャンネルの中央セグメントのＴＳ（Transport Stream）が受信されたかどうかを判定し、受信されたと判定した場合、処理をステップＳ１４に進める。【０００９】
ステップＳ１４において、携帯端末は、受信されたＴＳから、NIT actualとして記述されている自セグメントのネットワークに関する情報であるNIT（Network Information Table）と、SDT actualとして記述されている自セグメントのネットワークの放送サービスに関する情報であるSDT（Service Description Table）を取得する。なお、NITとは、特定の放送サービスが伝送されるキャリアをチューニングするための放送サービス毎の周波数情報と対応する放送サービスについての情報とが含まれるテーブルである。また、SDTとは、各放送サービスに関するメタ情報(例えば、サービス名等)が含まれるテーブルである。ステップＳ１４の処理後、処理はステップＳ１５に進む。【００１０】
一方、ステップＳ１３で中央セグメントのＴＳが受信されていないと判定された場合、ステップＳ１４をスキップして、処理はステップＳ１５に進む。【００１１】
ステップＳ１５において、携帯端末は、全ての物理チャンネルを対象物理チャンネルとしたかどうかを判定する。ステップＳ１５で全ての物理チャンネルを対象物理チャンネルとしていないと判定された場合、ステップＳ１６において、携帯端末は、次の物理チャンネル（例えば、周波数が次に高い物理チャンネル）を対象物理チャンネルとして、処理をステップＳ１２に戻す。そして、携帯端末は、全ての物理チャンネルを対象物理チャンネルとするまで、ステップＳ１２乃至Ｓ１６の処理を繰り返す。【００１２】
一方、ステップＳ１５で全ての物理チャンネルを対象物理チャンネルとしたと判定された場合、ステップＳ１７において、携帯端末は、ステップＳ１４で取得されたNITとSDTに基づいて選局テーブルを作成する。【００１３】
具体的には、図２に示すように、NITには、自セグメントに対応する、ネットワークに固有のＩＤであるネットワークＩＤ、ＴＳに固有のＩＤであるＴＳＩＤ、周波数、放送サービスに固有のサービスＩＤなどが記述されている。また、SDTには、自セグメントに対応する、ＴＳＩＤ、サービスＩＤ、そのサービスＩＤに対応するサービス名などが記述されている。【００１４】
従って、図２に示すように、携帯端末は、各物理チャンネルの中央セグメントのNITから、サービスＩＤと選局情報としての周波数を取得するとともに、そのNITに対応するSDTからサービス名を取得して対応付け、選局テーブルとする。【００１５】
なお、図２の例では、物理チャンネル１（物理CH-1）の中央セグメントにおいて、サービスＩＤがＩＤ１とＩＤ２である２つの放送サービスが時分割で放送されるため、物理チャンネル１の中央セグメントのNITには、２つのサービスＩＤが記述されている。
【先行技術文献】
【特許文献】
【００１６】
【特許文献１】特開２００７−３２９８４７号公報
【発明の概要】
【発明が解決しようとする課題】
【００１７】
以上のように、従来の携帯端末は、各物理チャンネルの中央セグメントのＴＳをスキャンして、そのＴＳに含まれている自セグメントのNITから選局情報を取得する。【００１８】
従って、空きチャンネルでマルチセグメント放送が行われる場合、図３に示すように、その空きチャンネルの中央セグメント１１の選局情報は取得できるが、中央セグメント１１以外のセグメント１２−１乃至１２−６の選局情報は取得できない。【００１９】
本発明は、このような状況に鑑みてなされたものであり、マルチセグメント放送の全ての選局情報を取得することができるようにするものである。
【課題を解決するための手段】
【００２０】
本発明の第１の側面の送信装置またはプログラムは、マルチセグメント放送の代表セグメントの放送サービスに関する情報を含むNIT（Network Information Table）またはSDT（Service Description Table）である代表選局情報と、前記代表セグメント以外のセグメントの放送サービスに関する情報を含むNITまたはSDTである代表外選局情報を生成する生成手段と、前記代表選局情報と前記代表外選局情報を異なるＩＤが付された情報として前記代表セグメントで送信するとともに、前記代表セグメントの放送サービスのデータを前記代表セグメントで送信する送信手段とを備える送信装置、または、送信装置として、コンピュータを機能させるためのプログラムである。
【００２１】
本発明の第１の側面の送信方法は、送信装置が、マルチセグメント放送の代表セグメントの放送サービスに関する情報を含むNIT（Network Information Table）またはSDT（Service Description Table）である代表選局情報と、前記代表セグメント以外のセグメントの放送サービスに関する情報を含むNITまたはSDTである代表外選局情報を生成する生成ステップと、前記代表選局情報と前記代表外選局情報を異なるＩＤが付された情報として前記代表セグメントで送信するとともに、前記代表セグメントの放送サービスのデータを前記代表セグメントで送信する送信ステップとを含む送信方法である。
【００２２】
本発明の第１の側面においては、マルチセグメント放送の代表セグメントの放送サービスに関する情報を含むNIT（Network Information Table）またはSDT（Service Description Table）である代表選局情報と、代表セグメント以外のセグメントの放送サービスに関する情報を含むNITまたはSDTである代表外選局情報が生成され、代表選局情報と代表外選局情報が異なるＩＤが付された情報として代表セグメントで送信されるとともに、代表セグメントの放送サービスのデータが代表セグメントで送信される。
【００２３】
本発明の第２の側面の受信装置またはプログラムは、マルチセグメント放送の代表セグメントで送信されてくる、異なるＩＤが付された情報として生成された前記代表セグメントの放送サービスに関する情報を含むNIT（Network Information Table）またはSDT（Service Description Table）である代表選局情報、および前記代表セグメント以外のセグメントの放送サービスに関する情報を含むNITまたはSDTである代表外選局情報、並びに前記代表セグメントの放送サービスのデータからなる放送データを受信する受信手段と、前記受信手段により受信された前記放送データから、前記代表選局情報、前記代表外選局情報、および前記データを抽出する抽出手段と、前記抽出手段により抽出された前記代表選局情報と前記代表外選局情報に基づいて、前記マルチセグメント放送の各セグメントの放送サービスに関する情報のテーブルを作成する作成手段と、前記抽出手段により抽出された前記データを出力する出力手段とを備える受信装置、または、受信装置として、コンピュータを機能させるためのプログラムである。
【００２４】
本発明の第２の側面の受信方法は、受信装置が、マルチセグメント放送の代表セグメントで送信されてくる、異なるＩＤが付された情報として生成された前記代表セグメントの放送サービスに関する情報を含むNIT（Network Information Table）またはSDT（Service Description Table）である代表選局情報、および前記代表セグメント以外のセグメントの放送サービスに関する情報を含むNITまたはSDTである代表外選局情報、並びに前記代表セグメントの放送サービスのデータからなる放送データを受信する受信ステップと、
前記受信ステップの処理により受信された前記放送データから、前記代表選局情報、前記代表外選局情報、および前記データを抽出する抽出ステップと、前記抽出ステップの処理により抽出された前記代表選局情報と前記代表外選局情報に基づいて、前記マルチセグメント放送の各セグメントの放送サービスに関する情報のテーブルを作成する作成ステップと、前記抽出ステップの処理により抽出された前記データを出力する出力ステップとを含む受信方法である。
【００２５】
本発明の第２の側面においては、マルチセグメント放送の代表セグメントで送信されてくる、異なるＩＤが付された情報として生成された代表セグメントの放送サービスに関する情報を含むNIT（Network Information Table）またはSDT（Service Description Table）である代表選局情報、および代表セグメント以外のセグメントの放送サービスに関する情報を含むNITまたはSDTである代表外選局情報、並びに代表セグメントの放送サービスのデータからなる放送データが受信され、その放送データから、代表選局情報、代表外選局情報、およびデータが抽出され、抽出された代表選局情報と代表外選局情報に基づいて、マルチセグメント放送の各セグメントの放送サービスに関する情報のテーブルが作成され、抽出されたデータが出力される。
【発明の効果】
【００２６】
以上のように、本発明の第１の側面によれば、マルチセグメント放送の代表セグメントの選局情報と代表セグメント以外のセグメントの選局情報を、代表セグメントで送信することができる。その結果、マルチセグメント放送の受信側でマルチセグメント放送の全ての選局情報を取得することができる。【００２７】
本発明の第２の側面によれば、マルチセグメント放送の全ての選局情報を取得することができる。
【図面の簡単な説明】
【００２８】
【図１】従来の携帯端末による選局テーブル作成処理のフローチャートである。
【図２】選局テーブルの例を示す図である。
【図３】従来の携帯端末において取得可能な選局情報を説明する図である。
【図４】本発明を適用した送受信システムの一実施の形態の構成例を示す図である。
【図５】図４の送受信システムにおける地上波デジタル放送波の帯域の割り当てについて説明する図である。
【図６】送受信システムの他の実施の形態の構成例を示す図である。
【図７】コミュニティ放送の選局情報の取得方法について説明する図である。
【図８】コミュニティ放送局の詳細構成例を示すブロック図である。
【図９】コミュニティ放送用の物理チャンネルの中央セグメントで送信されるNITについて説明する図である。
【図１０】中央セグメントと中央外セグメントのNITとSDTの構成を示す図である。
【図１１】NITのデータ構造を示す図である。
【図１２】コミュニティ放送局の送信処理を説明するフローチャートである。
【図１３】図４の受信端末の詳細構成例を示すブロック図である。
【図１４】受信端末による選局テーブルの作成方法について説明する図である。
【図１５】従来の受信端末と本発明の受信端末について説明する図である。
【図１６】選局テーブルの例を示す図である。
【図１７】受信端末による選局テーブル作成処理のフローチャートである。
【図１８】パーソナルコンピュータのハードウエアの構成例を示すブロック図である。
【発明を実施するための形態】
【００２９】
＜一実施の形態＞
［送受信システムの一実施の形態の構成例］
図４は、本発明を適用した送受信システム３０の一実施の形態の構成例を示す図である。
【００３０】
図４の送受信システム３０は、地上波放送局３１、コミュニティ放送局３２−１乃至３２−３、および受信端末３３により構成される。
【００３１】
地上波放送局３１は、地上波デジタル放送波で地上波デジタル放送を行う。コミュニティ放送局３２−１は、地上波デジタル放送波の空きチャンネルを利用して、サービスエリアＡでのみ受信可能な多チャンネルコミュニティ放送をマルチセグメント放送として送信する。
【００３２】
なお、多チャンネルコミュニティ放送とは、限定された地域で複数の論理チャンネルを利用して多面的に行われる１セグメント単位の放送である。多チャンネルコミュニティ放送としては、例えば、テーマパークでのみ受信可能な、そのテーマパークに関する放送などがある。以下では、多チャンネルコミュニティ放送を、単にコミュニティ放送という。以下、マルチセグメント放送の一例として、コミュニティ放送で説明を進める。
【００３３】
また、コミュニティ放送局３２−２は、地上波デジタル放送波の空きチャンネルで、サービスエリアＢでのみ受信可能なコミュニティ放送をマルチセグメント放送として送信する。さらに、コミュニティ放送局３２−３は、地上波デジタル放送波の空きチャンネルで、サービスエリアＣでのみ受信可能なコミュニティ放送をマルチセグメント放送として送信する。なお、以下において、コミュニティ放送局３２−１乃至３２−３を特に区別する必要がない場合、それらをまとめてコミュニティ放送局３２という。
【００３４】
受信端末３３は、地上波デジタル放送の携帯端末向け放送（以下、ワンセグ放送という）およびコミュニティ放送を受信可能な携帯端末である。従って、図４に示すように、受信端末３３を所持したユーザがサービスエリアＡにいる場合、受信端末３３は、ワンセグ放送とコミュニティ放送局３２−１によるコミュニティ放送を受信することができる。
【００３５】
［地上波デジタル放送波の説明］
図５は、図４の送受信システム３０における地上波デジタル放送波の帯域の割り当てについて説明する図である。
【００３６】
図５に示すように、送受信システム３０において、地上波デジタル放送波の全帯域のうち、地上波デジタル放送に使用される物理チャンネルでは、中央の１セグメント分の帯域でワンセグ放送が行われ、残りの１２セグメント分の帯域で固定端末向け放送が行われる。
【００３７】
また、空きチャンネルでは、コミュニティ放送がマルチセグメント放送として送信される。１つの空きチャンネルで放送可能なコミュニティ放送の論理チャンネルの最大数は、１３チャンネルである。
【００３８】
なお、空きチャンネル内のコミュニティ放送の帯域の割り当ては、特に規定する必要はないが、コミュニティ放送の重要度が明らかな場合、重要度の高いコミュニティ放送に中央のセグメントを割り当てるようにしてもよい。この場合、重要度の高いコミュニティ放送を、より確実に受信端末３３で受信させることができる。
【００３９】
コミュニティ放送の重要度が明らかな場合としては、例えば、図６に示すような場合が考えられる。図６では、コミュニティ放送局３２−１が所定の地区をサービスエリアＡとする中心局である。また、コミュニティ放送局３２−２，３２−３が、それぞれ、その地区内の建物やアミューズメントパークなどをサービスエリアＢ，Ｃとするローカル局である。即ち、サービスエリアＡがサービスエリアＢおよびＣを含んでいる。従って、受信可能な地域が広範囲な中心局（コミュニティ放送局３２−１）のコミュニティ放送の重要度が、ローカル局（コミュニティ放送局３２−２,３２−３）のコミュニティ放送に比べて高いことは明らかである。
【００４０】
そこで、このような場合、中央局としてのコミュニティ放送局３２−１のコミュニティ放送を中央のセグメントに割り当てることで、重要度の高いコミュニティ放送を、より確実に受信端末３３で受信させることができる。
【００４１】
［選局情報の取得方法]
図７は、送受信システム３０におけるコミュニティ放送の選局情報の取得方法について説明する図である。
【００４２】
図７に示すように、コミュニティ放送の選局情報の取得方法としては、主に、３つの方法が考えられる。第１の方法は、放送波のスキャンにより選局情報を取得する方法である。第１の方法では、受信端末は、地上波デジタル放送波をスキャンするだけで、受信可能なコミュニティ放送の選局情報を取得することができる。従って、受信端末を所持するユーザは、自分の位置で受信可能なコミュニティ放送があるかどうかを意識する必要なく、受信可能なコミュニティ放送の選局情報を自動的に取得することができる。
【００４３】
第２の方法は、選局情報を受信端末に埋め込む方法である。第２の方法では、受信端末が予め選局情報を記憶しておく必要があるが、地域ごとに異なるコミュニティ放送の選局情報を全て記憶しておくことは困難である。従って、第２の方法は、コミュニティ放送には適していない。
【００４４】
第３の方法は、放送波以外の手段(例えば、インターネットを介した通信等)により選局情報を取得する方法である。第３の方法では、受信端末を所持するユーザが、自分の位置で受信可能なコミュニティ放送があるかどうかを把握し、そのコミュニティ放送の選局情報の取得を指示する必要がある。しかしながら、地域ごとに異なるコミュニティ放送を、その地域とともに全て把握しておくことは困難である。従って、第３の方法は、コミュニティ放送には適していない。
【００４５】
以上により、送受信システム３０では、コミュニティ放送の選局情報の取得方法として第１の方法が採用されている。具体的には、地上波放送局３１およびコミュニティ放送局３２が、地上波デジタル放送波で選局情報を送信し、受信端末３３が、その選局情報をスキャンにより取得し、保持する。そして、受信端末３３は、保持されている選局情報に基づいて、所定の論理チャンネルのコミュニティ放送を選局し、再生する。
【００４６】
[コミュニティ放送局の構成例]
図８は、コミュニティ放送局３２の詳細構成例を示すブロック図である。
【００４７】
図８のコミュニティ放送局３２は、関連情報生成部５１、ビデオデータ取得部５２、ビデオエンコーダ５３、オーディオデータ取得部５４、オーディオエンコーダ５５、マルチプレクサ５６、送信部５７、およびアンテナ５８により構成される。
【００４８】
関連情報生成部５１は、コミュニティ放送のNIT，SDT等を含むPSI(Program Specific Information)、コミュニティ放送においてブラウザを用いた表示を行うための情報（以下、表示制御情報という）等を関連情報として生成し、マルチプレクサ５６に供給する。なお、PSIとは、NIT,PMT（Program Map Table）,PAT（Program Association Table）等の放送サービスを受信するための情報、周波数情報、放送サービスに対応するパケットを特定する情報等を含むテーブルの総称であり、システムの制御情報である。
【００４９】
ビデオデータ取得部５２は、図示せぬ内蔵するHDD（Hard Disk Drive）や、外部のサーバなどから、コミュニティ放送のビデオデータを取得し、ビデオエンコーダ５３に供給する。
【００５０】
ビデオエンコーダ５３は、ビデオデータ取得部５２から供給されるビデオデータを、MPEG2（Moving Picture Experts Group phase 2）等の符号化方式に準拠して符号化し、マルチプレクサ５６に供給する。
【００５１】
オーディオデータ取得部５４は、図示せぬ内蔵するHDDや、外部のサーバなどから、コミュニティ放送のオーディオデータを取得し、オーディオエンコーダ５５に供給する。
【００５２】
オーディオエンコーダ５５は、オーディオデータ取得部５４から供給されるオーディオデータを、MPEG2等の符号化方式に準拠して符号化し、マルチプレクサ５６に供給する。
【００５３】
マルチプレクサ５６は、関連情報生成部５１からの関連情報、ビデオエンコーダ５３からのビデオデータ、およびオーディオエンコーダ５５からのオーディオデータを多重化してＴＳを生成し、送信部５７に供給する。
【００５４】
送信部５７は、マルチプレクサ５６から供給されるＴＳを、所定のセグメントでアンテナ５８を介して送信する。
【００５５】
[NITおよびSDTの説明]
図９は、コミュニティ放送用の物理チャンネルの中央セグメントで送信されるNITについて説明する図である。
【００５６】
図９に示すように、コミュニティ放送用の物理チャンネルを構成する１３個のセグメントｓ１乃至ｓ１３の全部で、コミュニティ放送が送信される場合、中央セグメントｓ７では、以下に示すようなNIT-0とNIT-1が送信される。
【００５７】
NIT-0は、ネットワークＩＤ、マルチセグメント情報記述子、および中央セグメントｓ７のＴＳに関する情報（以下、ＴＳ情報という）により構成される。なお、マルチセグメント情報記述子とは、中央セグメントｓ７を含む物理チャンネルを構成するセグメントｓ１乃至ｓ１３がマルチセグメント放送のセグメントであることを示す記述子である。また、中央セグメントｓ７のＴＳ情報は、中央セグメントｓ７のＴＳのＴＳＩＤ、中央セグメントｓ７の周波数、中央セグメントｓ７の放送サービスのサービスＩＤ等により構成される。
【００５８】
NIT-1は、ネットワークＩＤと、中央セグメントｓ７以外のセグメントｓ１乃至ｓ６，ｓ８乃至ｓ１３のＴＳ情報とにより構成される。なお、NIT-0のネットワークＩＤとNIT-1のネットワークＩＤは異なっている。図９の例では、NIT-0のネットワークＩＤは０であり、NIT-1のネットワークＩＤは１である。
【００５９】
以上のように構成されるNIT-0は、図１０に示すように、中央セグメントｓ７において、自セグメントのNITを記述するNIT actualとして送信される。また、NIT-1は、同一の物理チャンネルの自セグメント以外のセグメント(以下、中央外セグメントという)のネットワークに関する情報であるNITを記述するNIT otherとして送信される。
【００６０】
また、図１０に示すように、中央セグメントｓ７では、自セグメントのSDTを記述するSDT actualとして、中央セグメントｓ７のSDTが送信される。さらに、中央外セグメントのネットワークの放送サービスに関する情報であるSDTを記述するSDT otherとして、中央外セグメントｓ１乃至ｓ６，ｓ８乃至ｓ１３のSDTが送信される。
【００６１】
一方、図１０に示すように、中央外セグメントｓ１乃至ｓ６，ｓ８乃至ｓ１３では、NIT actualとしてNIT-1がそれぞれ送信され、NIT otherとしては何も送信されない。また、SDT actualとして、自セグメントｓ１乃至ｓ６，ｓ８乃至ｓ１３のSDTがそれぞれ送信され、SDT otherとしては何も送信されない。
【００６２】
図１１は、NITのデータ構造を示す図である。
【００６３】
図１１に示すように、NITには、先頭から順に、8ビットのテーブルＩＤ(table_id)、1ビットのセクションシンタックスインジケータ（section_syntax_indicator）、1ビットの未来使用領域(reserved_future_use)が配置される。NITがNIT actualとしてのNITである場合、テーブルＩＤは0x40となり、NITがNIT otherとしてのNITである場合、テーブルＩＤは0x41となる。また、NITが中央セグメントのNIT actualとしてのNITである場合、未来使用領域には、マルチセグメント情報記述子が記述される。
【００６４】
また、未来使用領域の後には、2ビットの空き領域(reserved)、12ビットのセクション長（section_length）、16ビットのネットワークＩＤ(network_ＩＤ)、2ビットの空き領域(reserved)、5ビットのバージョン番号（version_number）が順に配置される。その後、１ビットのカレントネクストインジケータ（current_next_indicator）、 8ビットのセクション番号（section_number）、8ビットの最終セクション番号（last_section_number）、4ビットの未来使用領域が順に配置される。
【００６５】
次に、12ビットのネットワークディスクリプタ長（network_descriptor_length）、4ビットのネットワークループが順に配置される。ネットワークループには、ネットワーク名ディスクリプタ（network_name_descriptor）、システムマネジメントディスクリプタ（system_management_descriptor）などのディスクリプタが、前段に記述されているネットワークＩＤごとに配置される。ネットワーク名ディスクリプタには、ネットワーク名が記述され、システムマネジメントディスクリプタには、ネットワークが放送ネットワークであるか通信ネットワークであるかを示す情報が記述される。
【００６６】
ネットワークループの後には、12ビットの未来使用領域、ＴＳループ長（transport_stream_loop_length）、ＴＳループ、32ビットのCRC（Cyclic Redundancy Check）32値（CRC_32）が順に配置される。ＴＳループには、ＴＳごとに、サービスリストディスクリプタ（service_list_descriptor）、地上波システムディスクリプタ（terrestrial_delivery_system_descriptor）などが記述される。サービスリストディスクリプタには、放送サービスを特定する情報であるサービスＩＤ、および、放送サービスのタイプ（テレビジョン放送、ラジオ放送など）を示すサービスタイプが記述され、地上波システムディスクリプタには、選局情報が記述される。
【００６７】
［コミュニティ放送局の処理の説明］
図１２は、コミュニティ放送局３２の送信処理を説明するフローチャートである。
【００６８】
ステップＳ３１において、関連情報生成部５１は、コミュニティ放送のPSI、表示制御情報等を関連情報として生成し、マルチプレクサ５６に供給する。
【００６９】
ステップＳ３２において、ビデオデータ取得部５２は、図示せぬ内蔵するHDDや、外部のサーバなどから、コミュニティ放送のビデオデータを取得し、ビデオエンコーダ５３に供給する。
【００７０】
ステップＳ３３において、ビデオエンコーダ５３は、ビデオデータ取得部５２から供給されるビデオデータを、MPEG2等の符号化方式に準拠して符号化し、マルチプレクサ５６に供給する。
【００７１】
ステップＳ３４において、オーディオデータ取得部５４は、図示せぬ内蔵するHDDや、外部のサーバなどから、コミュニティ放送のオーディオデータを取得し、オーディオエンコーダ５５に供給する。
【００７２】
ステップＳ３５において、オーディオエンコーダ５５は、オーディオデータ取得部５４から供給されるオーディオデータを、MPEG2等の符号化方式に準拠して符号化し、マルチプレクサ５６に供給する。
【００７３】
ステップＳ３６において、マルチプレクサ５６は、関連情報生成部５１からの関連情報、ビデオエンコーダ５３からのビデオデータ、およびオーディオエンコーダ５５からのオーディオデータを多重化してＴＳを生成する。
【００７４】
具体的には、マルチプレクサ５６は、NIT actualとしてNIT-0（図９）含み、NIT otherとしてNIT-1を含み、SDT actualとして自セグメントのSDTを含み、SDT otherとして中央外セグメントのSDTを含むＴＳを、中央セグメントのＴＳとして生成する。また、マルチプレクサ５６は、NIT actualとしてNIT-1を含み、SDT actualとして自セグメントのSDTを含むＴＳを、中央外セグメントのＴＳとして生成する。そして、マルチプレクサ５６は、生成されたＴＳを送信部５７に供給する。
【００７５】
ステップＳ３７において、送信部５７は、マルチプレクサ５６から供給されるＴＳを、所定のセグメントでアンテナ５８を介して送信し、処理を終了する。
【００７６】
[受信端末の詳細構成例]
図１３は、図４の受信端末３３の詳細構成例を示すブロック図である。
【００７７】
図１３において、受信端末３３は、アンテナ７１、チューナ７２、デマルチプレクサ７３、ビデオデコーダ７４、選択部７５、表示部７６、オーディオデコーダ７７、スピーカ７８、ブラウザ７９、および制御部８０により構成される。
【００７８】
チューナ７２は、制御部８０から供給される選局情報に基づいて選局を行い、所定の論理チャンネルのワンセグ放送やコミュニティ放送のＴＳを、アンテナ７１を介して、地上波放送局３１やコミュニティ放送局３２から受信する。チューナ７２は、受信されたＴＳをデマルチプレクサ７３に供給する。
【００７９】
デマルチプレクサ７３は、チューナ７２から供給されるＴＳを、ビデオデータ、オーディオデータ、表示制御情報、PSIの各情報等に分離する。デマルチプレクサ７３は、ビデオデータをビデオデコーダ７４に供給し、オーディオデータをオーディオデコーダ７７に供給する。また、デマルチプレクサ７３は、表示制御情報をブラウザ７９に供給し、PSIの各情報等を制御部８０に供給する。
【００８０】
ビデオデコーダ７４は、制御部８０の制御にしたがって、デマルチプレクサ７３から供給されるビデオデータを、ビデオエンコーダ５３に対応する方式でデコードし、選択部７５に供給する。
【００８１】
選択部７５は、制御部８０の制御にしたがって、ビデオデコーダ７４から供給されるビデオデータまたはブラウザ７９から供給されるビデオデータを選択し、表示部７６に供給する。表示部７６は、選択部７５から供給されるビデオデータに基づいて、ワンセグ放送またはコミュニティ放送の画像を表示する。
【００８２】
オーディオデコーダ７７は、制御部８０の制御にしたがって、デマルチプレクサ７３から供給されるオーディオデータを、オーディオエンコーダ５５に対応する方式でデコードし、スピーカ７８に供給する。スピーカ７８は、オーディオデコーダ７７からのオーディオデータに対応する音声を、ワンセグ放送またはコミュニティ放送の音声として出力する。
【００８３】
ブラウザ７９は、デマルチプレクサ７３から供給される表示制御情報を解釈して、ビデオデータを生成し、選択部７５に供給する。
【００８４】
制御部８０は、地上波デジタル放送波の各物理チャンネルの中央セグメントの選局情報を順にチューナ７２に供給する。また、制御部８０は、デマルチプレクサ７３から供給される各物理チャンネルの中央セグメントのNIT actualおよびSDT actual、または、NIT actual、NIT other、SDT actual、およびSDT otherに基づいて、選局テーブルを生成する。そして、制御部８０は、生成された選局テーブルを内蔵するメモリ(図示せず)に記憶する。
【００８５】
また、制御部８０は、ユーザからの指令に応じて、選局テーブルに登録されているサービス名をブラウザ７９に供給し、そのサービス名を表示部７６に表示させる。ユーザは、表示部７６に表示されたサービス名を見て、視聴対象とする放送サービスのサービス名を選択指示する。制御部８０は、この選択指示に基づいて、選局テーブルから視聴対象のサービス名に対応する選局情報を読み出し、その選局情報をチューナ７２に供給する。
【００８６】
また、制御部８０は、デマルチプレクサ７３から供給されるPSIの各情報に基づいて、ビデオデコーダ７４、選択部７５、オーディオデコーダ７７、およびブラウザ７９を制御する。具体的には、制御部８０は、例えば、ビデオデコーダ７４から出力されるビデオデータとオーディオデコーダ７７から出力されるオーディオデータの同期をとるように、ビデオデコーダ７４とオーディオデコーダ７７を制御する。
【００８７】
[選局テーブルの作成方法]
図１４は、受信端末３３による選局テーブルの作成方法について説明する図である。
【００８８】
図１４のＡに示すように、受信端末３３は、地上波デジタル放送波の各物理チャンネルの中央セグメントを、周波数の低い方から順にスキャンする。具体的には、受信端末３３のチューナ７２が、周波数の低い方から順に各物理チャンネルの中央セグメントを選局し、その中央セグメントのＴＳを取得する。
【００８９】
これにより、地上波デジタル放送が割り当てられた物理チャンネルの中央セグメント９１，９３のＴＳのNIT actual，SDT actualから、中央セグメント９１，９３で放送されるワンセグ放送のNIT，SDTが取得される。
【００９０】
一方、コミュニティ放送が割り当てられた物理チャンネルの中央セグメント９２−１のＴＳのNIT actual，SDT actualからは、中央セグメント９２−１で放送されるコミュニティ放送のNIT，SDTが取得される。また、中央セグメント９２−１のＴＳのNIT other，SDT otherからは、中央外セグメント９２−２乃至９２−５に割り当てられた４つのコミュニティ放送のNIT，SDTが取得される。そして、以上のようにして取得されたNIT,SDTから、ワンセグ放送およびコミュニティ放送の選局情報を含む選局テーブルが作成される。
【００９１】
以上のように、中央セグメント９２−１のＴＳには、NIT actual，SDT actualだけでなく、NIT other，SDT otherが配置されるので、受信端末３３は、各物理チャンネルの中央セグメントを順にスキャンするだけで、その中央セグメント９２−１に対応する物理チャンネルの全てのコミュニティ放送のNITとSDTを取得することができる。従って、受信端末３３は、ワンセグ放送およびコミュニティ放送の選局情報を含む選局テーブルを短時間で作成することができる。その結果、ユーザに選局可能な放送サービスのサービス名を素早く提示することができる。
【００９２】
これに対して、NIT other，SDT otherを中央セグメントのＴＳに配置しない場合の選局情報テーブルの作成時のスキャンは、図１４のＢに示すようになる。即ち、図１４のＢに示すように、受信端末は、NIT actualのマルチセグメント情報記述子により、受信したＴＳがマルチセグメント放送の中央セグメントのＴＳであると認識すると、中央外セグメントのＴＳを順にスキャンし、各中央外セグメントのNIT actual，SDT actualを取得する必要がある。従って、この場合、スキャン時間が長くなり効率的ではない。
【００９３】
図１５は、送受信システム３０における地上波デジタル放送を受信する従来のコミュニティ放送に対応していない受信端末１００と受信端末３３について説明する図である。
【００９４】
従来の受信端末１００は、一般的に、受信端末３３と同様に、各物理チャンネルの中央セグメントを、周波数の低い方から順にスキャンして、選局テーブルを作成する。しかしながら、受信端末１００は、コミュニティ放送に対応していないため、コミュニティ放送が割り当てられた物理チャンネルの中央セグメントのＴＳに配置されるNIT actualのマルチセグメント情報記述子は無視する。従って、受信端末１００は、誤動作を起こさないが、NIT other，SDT otherを取得することはできない。
【００９５】
その結果、受信端末１００が送受信システム３０における地上波デジタル放送を受信する場合、図１５に示すように、各物理チャンネルの中央セグメントのワンセグ放送およびコミュニティ放送のNITおよびSDTから、選局テーブルが作成される。
【００９６】
これに対して、受信端末３３は、コミュニティ放送に対応しており、コミュニティ放送が割り当てられた物理チャンネルの中央セグメントのＴＳに配置されるNIT actualのマルチセグメント情報記述子を認識し、NIT other，SDT otherを取得することができる。その結果、受信端末３３では、各物理チャンネルに割り当てられている全てのワンセグ放送およびコミュニティ放送のNITおよびSDTから、選局テーブルが作成される。
【００９７】
図１６は、図１５の例において受信端末３３により作成された選局テーブルと、受信端末１００により作成された選局テーブルの例を示す図である。
【００９８】
図１６のＡに示すように、受信端末３３により作成される選局テーブルには、まず、第１の物理チャンネルの中央セグメントに割り当てられたワンセグ放送のサービス名「ワンセグサービス１」、サービスＩＤ「ＩＤ１」、および周波数「Ｆ１」が登録される。
【００９９】
次に、第２の物理チャンネルに割り当てられた５セグメント分のコミュニティ放送のサービス名「コミュニティサービス１」乃至「コミュニティサービス５」、サービスＩＤ「ＩＤ２」乃至「ＩＤ６」、および周波数「Ｆ２」乃至「Ｆ６」がそれぞれ登録される。
【０１００】
そして、第３の物理チャンネルの中央セグメントに割り当てられたワンセグ放送のサービス名「ワンセグサービス２」、サービスＩＤ「ＩＤ７」、および周波数「Ｆ７」が登録される。その後も同様に、第４の物理チャンネルの中央セグメントに割り当てられたワンセグ放送と、第５の物理チャンネルに割り当てられた７セグメント分のコミュニティ放送のサービス名、サービスＩＤ、および周波数が登録される。
【０１０１】
一方、図１６のＢに示すように、受信端末１００により作成される選局テーブルには、まず、受信端末３３により作成される選局テーブルと同様に、第１の物理チャンネルの中央セグメントに割り当てられたワンセグ放送のサービス名「ワンセグサービス１」、サービスＩＤ「ＩＤ１」、および周波数「Ｆ１」が登録される。
【０１０２】
次に、第２の物理チャンネルの中央セグメントに割り当てられたコミュニティ放送のサービス名「コミュニティサービス１」、サービスＩＤ「ＩＤ２」、および周波数「Ｆ２」が登録される。
【０１０３】
そして、受信端末３３により作成される選局テーブルと同様に、第３の物理チャンネルの中央セグメントに割り当てられたワンセグ放送のサービス名「ワンセグサービス２」、サービスＩＤ「ＩＤ７」、および周波数「Ｆ７」が登録される。その後も同様に、第４の物理チャンネルの中央セグメントに割り当てられたワンセグ放送と、第５の物理チャンネルの中央セグメントに割り当てられたコミュニティ放送のサービス名、サービスＩＤ、および周波数が登録される。
【０１０４】
以上のように、従来の受信端末１００が送受信システム３０における地上波デジタル放送を受信する場合、受信端末１００は、コミュニティ放送に対応していないため、中央外セグメントのコミュニティ放送の選局情報を選局テーブルに登録することはできない。しかしながら、従来の受信端末１００でも、地上波放送局３１から送信されるワンセグ放送の選局情報を取得することができる。従って、本発明の地上波デジタル放送は、従来の受信端末１００によるワンセグ放送の受信を妨害しない。
【０１０５】
[受信端末の処理の説明]
図１７は、受信端末３３による選局テーブル作成処理のフローチャートである。この選局テーブル作成処理は、例えば、ユーザにより選局テーブルの取得が指示されたとき開始される。
【０１０６】
ステップＳ５１において、制御部８０は、所定の物理チャンネル（例えば、最も周波数の低い物理チャンネル）を、処理の対象とする対象物理チャンネルとする。そして、制御部８０は、対象物理チャンネルの中央セグメントの周波数を選局情報としてチューナ７２に供給する。
【０１０７】
ステップＳ５２において、チューナ７２は、制御部８０からの選局情報に基づいて、対象物理チャンネルの中央セグメントを選局する。
【０１０８】
ステップＳ５３において、チューナ７２は、対象物理チャンネルの中央セグメントのＴＳが受信されたかどうかを判定し、受信されたと判定した場合、処理をステップＳ５４に進める。
【０１０９】
ステップＳ５４において、デマルチプレクサ７３は、チューナ７２により受信された対象物理チャンネルの中央セグメントのＴＳから、NIT actualとSDT actualを分離し、取得する。
【０１１０】
ステップＳ５５において、デマルチプレクサ７３は、ステップＳ５４で取得されたNIT actualのマルチセグメント情報記述子に基づいて、受信されたＴＳがマルチセグメント放送の中央セグメントのＴＳであるかどうかを判定する。
【０１１１】
ステップＳ５５で、受信されたＴＳがマルチセグメント放送の中央セグメントのＴＳであると判定された場合、ステップＳ５６において、デマルチプレクサ７３は、対象物理チャンネルの中央セグメントのＴＳから、NIT otherとSDT otherを分離し、取得する。そして、処理はステップＳ５７に進む。
【０１１２】
一方、ステップＳ５３で対象物理チャンネルの中央セグメントのＴＳが受信されていないと判定された場合、または、ステップＳ５５で受信されたＴＳがマルチセグメント放送の中央セグメントのＴＳではないと判定された場合、処理はステップＳ５７に進む。
【０１１３】
ステップＳ５７において、制御部８０は、全ての物理チャンネルを対象物理チャンネルとしたかどうかを判定する。ステップＳ５７で全ての物理チャンネルを対象物理チャンネルとしていないと判定された場合、ステップＳ５８において、制御部８０は、次の物理チャンネル（例えば、周波数が次に高い物理チャンネル）を対象物理チャンネルとして、処理ステップＳ５２に戻す。そして、全ての物理チャンネルを対象物理チャンネルとするまで、ステップＳ５２乃至Ｓ５８の処理が繰り返される。
【０１１４】
一方、ステップＳ５７で全ての物理チャンネルを対象物理チャンネルとしたと判定された場合、ステップＳ５９において、制御部８０は、デマルチプレクサ７３により取得されたNIT actualおよびSDT other、または、NIT actual,NIT other,SDT actual、およびSDT otherに基づいて選局テーブルを作成する。
【０１１５】
以上のように、コミュニティ放送局３２は、マルチセグメント放送としてのコミュニティ放送のNITを生成し、中央セグメントのNITを記述するNIT actualと中央外セグメントのNITを記述するNIT otherを含むＴＳを中央セグメントで送信する。これにより、受信端末３３は、コミュニティ放送の各物理チャンネルの中央セグメントのＴＳを受信するだけで、そこに含まれているNIT actualとNIT otherから、全てのコミュニティ放送の選局情報を認識することができる。
【０１１６】
また、コミュニティ放送局３２は、中央外セグメントのNITを既存の地上波デジタル放送で規定されているNIT otherとして送信するので、コミュニティ放送は、既存の地上波デジタル放送の方式体系と整合のとれた放送となり、インターオペラビリティが確保される。
【０１１７】
これに対して、例えば、中央外セグメントのNITを、中央セグメントのNITとともにNIT actualとして送信すると、受信端末３３が誤動作を起こす危険がある。これは、既存の地上波デジタル放送では、NIT actualが自セグメント以外のセグメントのNITを含むことが規定されていないためである。
【０１１８】
また、受信端末３３は、コミュニティ放送局３２から送信されてくるコミュニティ放送の中央セグメントのＴＳを受信し、そのＴＳからNIT actualとNIT otherを抽出する。そして、受信端末３３は、そのNIT actualとNIT otherに基づいて選局テーブルを作成する。従って、受信端末３３は、コミュニティ放送の各物理チャンネルの中央セグメントのＴＳを受信するだけで、そこに含まれているNIT actualとNIT otherから、送信される全てのコミュニティ放送の選局情報を認識することができる。
【０１１９】
さらに、受信端末３３は、従来の受信端末１００に対して、マルチセグメント放送の中央セグメントのＴＳからNIT actualとNIT otherの両方を抽出する機能、NIT actualとNIT otherに基づいてマルチセグメント放送の選局情報を選局テーブルに登録する機能などを追加することにより実現可能である。従って、受信端末３３によれば、コミュニティ放送に対応させるために必要なコストの上昇を抑制することができる。
【０１２０】
なお、上述した説明では、中央セグメントのＴＳにSDT otherが配置されたが、受信端末３３においてサービス名を表示する必要がない場合、SDT otherは配置されなくてもよい。例えば、受信端末３３においてユーザが上下ボタン等により論理チャンネルの移動を指示することで選局対象を指示する場合、SDT otherは配置されなくてもよい。
【０１２１】
また、上述した説明では、中央外セグメント全体に対して１つのNIT otherが設けられたが、中央外セグメントを複数のグループ(例えば、放送元のコミュニティ放送局３２ごとのグループ)に分類し、そのグループごとにNIT otherが設けられるようにしてもよい。
【０１２２】
上述したコミュニティ放送局３２および受信端末３３の一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０１２３】
図１８は、上述した一連の処理をプログラムにより実行するパーソナルコンピュータのハードウエアの構成例を示すブロック図である。
【０１２４】
パーソナルコンピュータ２００において、CPU（Central Processing Unit）２０１，ROM（Read Only Memory）２０２，RAM（Random Access Memory）２０３は、バス２０４により相互に接続されている。
【０１２５】
バス２０４には、さらに、入出力インタフェース２０５が接続されている。入出力インタフェース２０５には、入力部２０６、出力部２０７、記憶部２０８、通信部２０９、及びドライブ２１０が接続されている。
【０１２６】
入力部２０６は、キーボード、マウス、マイクロフォンなどよりなる。出力部２０７は、ディスプレイ、スピーカなどよりなる。記憶部２０８は、ハードディスクや不揮発性のメモリなどよりなる。通信部２０９は、ネットワークインタフェースなどよりなる。ドライブ２１０は、磁気ディスク、光ディスク、光磁気ディスク、又は半導体メモリなどのリムーバブルメディア２１１を駆動する。
【０１２７】
以上のように構成されるパーソナルコンピュータ２００では、CPU２０１が、例えば、記憶部２０８に記憶されているプログラムを、入出力インタフェース２０５及びバス２０４を介して、RAM２０３にロードして実行することにより、上述した一連の処理が行われる。
【０１２８】
パーソナルコンピュータ２００（CPU２０１）が実行するプログラムは、例えば、パッケージメディア等としてのリムーバブルメディア２１１に記録して提供することができる。また、プログラムは、ローカルエリアネットワーク、インターネット、デジタル衛星放送といった、有線または無線の伝送媒体を介して提供することができる。
【０１２９】
パーソナルコンピュータ２００では、プログラムは、リムーバブルメディア２１１をドライブ２１０に装着することにより、入出力インタフェース２０５を介して、記憶部２０８にインストールすることができる。また、プログラムは、有線または無線の伝送媒体を介して、通信部２０９で受信し、記憶部２０８にインストールすることができる。その他、プログラムは、ROM２０２や記憶部２０８に、あらかじめインストールしておくことができる。
【０１３０】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１３１】
また、本明細書において、システムとは、複数の装置により構成される装置全体を表すものである。
【０１３２】
さらに、本発明の実施の形態は、上述した実施の形態に限定されるものではなく、本発明の要旨を逸脱しない範囲において種々の変更が可能である。
【符号の説明】
【０１３３】
３２  コミュニティ放送局，  ３３  受信端末,  ５１  関連情報生成部，  ５７  送信部，  ７２  チューナ，  ７３  デマルチプレクサ，  ８０  制御部
【図１】
0005418587.tif 000002
【図２】
0005418587.tif 000003
【図３】
0005418587.tif 000004
【図４】
0005418587.tif 000005
【図５】
0005418587.tif 000006
【図６】
0005418587.tif 000007
【図７】
0005418587.tif 000008
【図８】
0005418587.tif 000009
【図９】
0005418587.tif 000010
【図１０】
0005418587.tif 000011
【図１１】
0005418587.tif 000012
【図１２】
0005418587.tif 000013
【図１３】
0005418587.tif 000014
【図１４】
0005418587.tif 000015
【図１５】
0005418587.tif 000016
【図１６】
0005418587.tif 000017
【図１７】
0005418587.tif 000018
【図１８】
0005418587.tif 000019